(57)【要約】      （修正有）【課題】操作者の目視による確認に頼らず、操作者が被検者の受ける負担がどのような状態であるかを認識する。【解決手段】Ｘ線源と，複数のＸ線検出素子により透過Ｘ線の信号を検出するＸ線検出器と，Ｘ線検出器により検出された透過Ｘ線信号をＸ線像として表示する画像表示部と，を備えたＸ線診断装置において，被検者を載置するテーブルの天板の水平位置からの傾斜角度を検出する天板角度検出エンコーダと，被検者の一部を押さえ込む圧迫筒の押圧力を検出する圧迫力検出回路と，Ｘ線源からＸ線が照射されていることを検出するＸ線検出回路と，逆傾、圧迫、透視のそれぞれの操作について、予めアラームパターンと音量パターンを記憶する記憶手段と，天板角度検出エンコーダから出力される逆傾信号と、圧迫力検出回路から出力される圧迫信号と、Ｘ線検出回路から出力される透視信号の各信号に基づいて、アラーム音を変化させる制御手段とを備える。【選択図】図２
2009291231.tif 000002
【特許請求の範囲】
【請求項１】
被検者にＸ線を照射するＸ線源と，
前記Ｘ線源と対向配置され、複数のＸ線検出素子により前記被検者の透過Ｘ線を電気信号に変換し、その電気信号を読み出すことにより前記透過Ｘ線の信号を検出するＸ線検出器と，
このＸ線検出器により検出された透過Ｘ線信号をＸ線像として表示する画像表示部と，
を備えたＸ線診断装置において，
被検者を載置するテーブルの天板の水平位置からの傾斜角度を検出する天板角度検出エンコーダと，
被検者の一部を押さえ込む圧迫筒の押圧力を検出する圧迫力検出回路と，
Ｘ線源からＸ線が照射されていることを検出するＸ線検出回路と，
逆傾、圧迫、透視のそれぞれの操作について、予めアラームパターンと音量パターンを記憶する記憶手段と，
前記天板角度検出エンコーダから出力される逆傾信号と、圧迫力検出回路から出力される圧迫信号と、Ｘ線検出回路から出力される透視信号の各信号に基づいて、アラーム音を変化させる制御手段とを備えることを特徴とするＸ線透視撮影装置。
【請求項２】
前記制御手段によるアラーム音の変化は，
前記記憶手段に記憶されている前記逆傾、圧迫、透視のそれぞれに対応するアラームパターンの少なくとも２つの信号によって行うものである請求項１に記載のＸ線透視撮影装置。
【請求項３】
前記記憶手段は，
前記被検者を載置するテーブルの天板の移動を検知すると発する逆傾、圧迫、透視のそれぞれの操作におけるアラームパターンと音量パターンとは異なる移動アラーム音を記憶し，
前記圧迫力検出回路において圧迫筒の押圧力を検出した状態で前記被検者を載置するテーブルの天板の移動を検知すると前記記憶手段に記憶してある移動アラーム音を発することを特徴とする請求項１に記載のＸ線透視撮影装置。
【発明の詳細な説明】
【技術分野】
【０００１】
本発明は、Ｘ線透視撮影装置に係わり、特にＸ線透視による撮影の際に被検者に加えられている操作状況に伴い被検者に負担が生じていることを操作者に知らせることのできるＸ線透視撮影装置に関する。
【背景技術】
【０００２】
従来、Ｘ線透視撮影装置においては、Ｘ線透視撮影装置を操作する操作者が、被検者に対して連続透視を行っている場合、タイマーを用いて特定の時間（例えば、１０分）ブザーを鳴らし、特定の時間（例えば、１０分）が経過すると自動的に遮断されるものとなっている。
しかし、これでは、Ｘ線透視撮影装置を操作する操作者が、被検者に対して連続透視を行っていることを認識するのに十分とはいえない。
【０００３】
また、Ｘ線透視撮影装置を操作し、操作者が、被検者にＸ線を照射して透視撮影を行う場合、被検者が受ける負担は、連続透視だけではない。Ｘ線透視撮影装置を操作して操作者が透視撮影を行う場合、被検者の腹部を押圧部材で押さえ込んで透視撮影を行う場合があり、この押圧部材で押さえ込む状態の圧迫状態において被検者が受ける負担は、著しく大きい。
さらに、操作者が、被検者にＸ線を照射して透視撮影を行う場合、飲み込んだ造影剤を滞留させたり、逆流するなどの操作のため、被検者が載置されているテーブルを頭部が水平位置より下げ、被検者を逆さに保つ逆傾という操作を行うことがある。この逆傾の場合、被検者は、多大の負担を強いられる。
【０００４】
被検者に対して行う連続透視については、従来のＸ線透視撮影装置においては、タイマーを用いて特定の時間だけ操作者に、被検者に対して連続透視を行っていることを知らせるものはある。
また、被検者の腹部を押圧部材で押さえ込んで透視撮影を行う圧迫状態については、従来のＸ線透視撮影装置においては、操作者に被検者が圧迫状態であることを知らせることは行われていない。
さらに、被検者の頭部を水平位置より下げる逆傾の状態については、従来のＸ線透視撮影装置においては、操作者に被検者が圧迫状態であることを知らせることは行われていない。
【０００５】
操作者にアラームを鳴らして被検者の状態を知らせることは、医用画像診断装置においては、従来行われている（例えば、特許文献１参照）。この特許文献１は、患者の心電状態に異常があるとき等のアラームが必要な際に、操作デバイス３をを通して操作者である医師または技師にアラームが伝わるようになっている。
【０００６】
【特許文献１】特開２００３−１５３９０３号公報
【発明の開示】
【発明が解決しようとする課題】
【０００７】
このように、特許文献１の医用画像診断装置においては、被検者に超音波を当ててエコー診断を行う際に、患者である被検者の心電状態を監視しており、この心電状態に異常があるときに、アラームを鳴らして操作者である医師または技師に被検者の心電状態に異常があることを知らせている。
【０００８】
これに対し、Ｘ線透視撮影装置においては、被検者に対して連続透視を行う場合、被爆量等の問題もあり、操作者は、常に、現在被検者が連続透視中であるか否かを把握している必要がある。しかし、Ｘ線透視撮影装置にあっては、Ｘ線透視撮影装置を操作する操作者に、被検者が連続透視中であることを認識させる方法が採られておらず、操作者は、被検者が受けている負担が大きいことを認識できるものとなっていないという問題点を有している。
【０００９】
また、Ｘ線透視撮影装置においては、被検者の腹部を押圧部材で押さえ込み、圧迫状態において透視撮影を行う場合、被検者は腹部を押さえ込まれているため被検者にとっては大きな負担を強いた状態となっている。しかし、Ｘ線透視撮影装置にあっては、Ｘ線透視撮影装置を操作する操作者に、被検者が圧迫状態に置かれていることを認識させる方法が採られておらず、操作者は、被検者が受けている負担が大きいことを認識できるものとなっていないという問題点を有している。
【００１０】
さらに、Ｘ線透視撮影装置においては、飲み込んだ造影剤を滞留させたり、逆流するなどの操作のため、被検者が載置されているテーブルを、被検者の頭部が水平位置より下がった状態に保つ逆傾において透視撮影を行う場合、被検者は頭部が足より下の位置にあるため被検者にとっては大きな負担を強いた状態となっている。しかし、Ｘ線透視撮影装置にあっては、Ｘ線透視撮影装置を操作する操作者に、被検者が逆傾に置かれていることを認識させる方法が採られておらず、操作者は、被検者が受けている負担が大きいことを認識できるものとなっていないという問題点を有している。
【００１１】
本発明の目的は、操作者の目視による確認に頼らず、操作者が被検者の受ける負担がどのような状態であるかを認識することのできるＸ線透視撮影装置を提供することにある。
【課題を解決するための手段】
【００１２】
本発明は、被検者にＸ線を照射するＸ線源と，
前記Ｘ線源と対向配置され、複数のＸ線検出素子により前記被検者の透過Ｘ線を電気信号に変換し、その電気信号を読み出すことにより前記透過Ｘ線の信号を検出するＸ線検出器と，
このＸ線検出器により検出された透過Ｘ線信号をＸ線像として表示する画像表示部と，
を備えたＸ線診断装置において，
被検者を載置するテーブルの天板の水平位置からの傾斜角度を検出する天板角度検出エンコーダと，
被検者の一部を押さえ込む圧迫筒の押圧力を検出する圧迫力検出回路と，
Ｘ線源からＸ線が照射されていることを検出するＸ線検出回路と，
逆傾、圧迫、透視のそれぞれの操作について、予めアラームパターンと音量パターンを記憶する記憶手段と，
前記天板角度検出エンコーダから出力される逆傾信号と、圧迫力検出回路から出力される圧迫信号と、Ｘ線検出回路から出力される透視信号の各信号に基づいて、アラーム音を変化させる制御手段とを備えることを特徴とする。
【発明の効果】
【００１３】
本発明によれば、操作パネルに表示されている被検者の状態を目視確認することなく、被検者の負担を認識することができる。
【発明を実施するための最良の形態】
【００１４】
以下、本発明の実施例を図面を用いて説明する。
図１は、本発明に係るＸ線透視撮影装置の全体を示す図である。
Ｘ線透視撮影装置は、Ｘ線透視撮影装置本体と画像処理手段を備えている。このＸ線透視撮影装置本体には、被検者１０に透視撮影するためのＸ線を照射するＸ線源１が設けられている。このＸ線源１の下方には、Ｘ線源１から照射されるＸ線の照射範囲を絞るＸ線可動絞り部２を備えている。このＸ線源１には、Ｘ線を発生してＸ線源１に送るＸ線発生装置４が接続されている。
【００１５】
また、Ｘ線透視撮影装置本体には、被検者１０の体の一部を押圧する圧迫筒３が設けられている。この圧迫筒３は、Ｘ線透視撮影装置本体の操作者が、被検者１０の、例えば、腹部を押さえ込む押圧部材で、被検者１０の腹部を圧迫状態において透視撮影を行う場合に用いるものである。
【００１６】
Ｘ線透視撮影装置本体には、テーブル６が設けられており、このテーブル６の上には、被検者１０が載置されるようになっている。このテーブル６は、図示しない駆動機構によって、透視撮影の必要上から被検者１０を水平平面におけるＸ−Ｙ方向、支点を中心に上下方向に所定角度回転するように構成されている。
また、このテーブル６の下部には、Ｘ線源１から照射されたＸ線を検出するＸ線平面検出器７が設けられている。このＸ線平面検出器７は、Ｘ線源１から照射されたＸ線による透視画像を検出するものである。
【００１７】
そして、Ｘ線発生装置４には、Ｘ線を発生させてＸ線源１に照射するＸ線発生装置４を制御する制御装置５が接続されている。この制御装置５は、図示しない駆動機構を制御すると共に、Ｘ線平面検出器７によって検出される検出値（透視画像）を入力する機能を有している。
この制御装置５には、画像処理装置８が接続されている。この制御装置５は、画像処理装置８に制御装置５において取得したＸ線平面検出器７によって検出された透視画像を示す検出値を出力する。
【００１８】
制御装置５からＸ線平面検出器７によって検出された透視画像を示す検出値が出力され、画像処理装置８に入力されると、画像処理装置８においては、入力されたＸ線平面検出器７によって検出された透視画像検出信号に基づいて、画像信号に変換する。この画像データ信号に変換すると、画像処理装置８に接続されるモニタ９に画像表示する。
この画像処理装置８と、モニタ９とによって、画像処理手段を構成している。
【００１９】
Ｘ線透視撮影装置本体のテーブル６を支持する台座１１には、テーブル６の天板の水平位置からの傾斜角度を検出する天板角度検出エンコーダ１２が設けられており、テーブル６の傾斜角度の大きさに応じた信号が出力される。
また、Ｘ線透視撮影装置本体の圧迫筒３には、被検者１０の、例えば、腹部を押さえ込む押圧力を検出する圧迫力検出回路１３が設けられている。この圧迫力検出回路１３からは、被検者１０の腹部等を押圧したときの該押圧力の強さに応じた信号が出力される。
【００２０】
さらに、Ｘ線透視撮影装置本体のＸ線平面検出器７には、Ｘ線源１からＸ線が照射されていることを検出するＸ線検出回路１４が設けられている。このＸ線検出回路１４からは、Ｘ線源１から照射されたＸ線が検出されている限り信号を出力し続けるようになっている。
図１に図示の制御装置５は、図２における制御処理を行うＣＰＵ１５と、パターン化されたアラーム信号（アラームパターンとアラーム音量）を記憶するＲＯＭ１６と、アラーム音を発するアラーム１８と、このアラーム１８を作動してアラーム作動信号を出力する制御回路１７とによって構成されている。
【００２１】
図２に図示の天板角度検出エンコーダ１２と、圧迫力検出回路１３と、Ｘ線検出回路１４の各処理回路からの出力信号に基づいてアラーム音を出力する制御回路１７は、図２に示す如き構成を有している。
図２において、天板角度検出エンコーダ１２と、圧迫力検出回路１３と、Ｘ線検出回路１４の処理回路は、それぞれがＣＰＵ１５に接続されており、天板角度検出エンコーダ１２から出力される検出信号、圧迫力検出回路から出力される検出信号、Ｘ線検出回路１４から出力される検出信号がＣＰＵ１５に入力される。
【００２２】
ＣＰＵ１５には、ＲＯＭ１６がバスラインを介して接続されており、このＲＯＭ１６には、パターン化されたアラーム信号が記憶されている。
すなわち、ＲＯＭ１６には、Ｘ線検出回路１４から信号が出力され、天板角度検出エンコーダ１２からも圧迫力検出回路１３からも信号が出力されていない場合のパターン化されたアラーム信号として、図３（Ａ）に図示のアラームパターン１が記憶されている。
【００２３】
また、ＲＯＭ１６には、天板角度検出エンコーダ１２から信号が出力され、圧迫力検出回路１３からもＸ線検出回路１４からも信号が出力されていない場合のパターン化されたアラーム信号として、図３（Ｂ）に図示のアラームパターン２が記憶されている。
さらに、ＲＯＭ１６には、圧迫力検出回路１３から信号が出力され、天板角度検出エンコーダ１２からもＸ線検出回路１４からも信号が出力されていない場合のパターン化されたアラーム信号として、図３（Ｃ）に図示のアラームパターン３が記憶されている。
【００２４】
またさらに、ＲＯＭ１６には、Ｘ線検出回路１４から信号が出力され、天板角度検出エンコーダ１２からも信号が出力され、圧迫力検出回路１３から信号が出力されない場合のパターン化されたアラーム信号として、図３（Ｄ）に図示のアラームパターン４が記憶されている。
さらにまた、ＲＯＭ１６には、Ｘ線検出回路１４から信号が出力され、圧迫力検出回路１３からも信号が出力され、天板角度検出エンコーダ１２から信号が出力されない場合のパターン化されたアラーム信号として、図３（Ｅ）に図示のアラームパターン５が記憶されている。
【００２５】
また、ＲＯＭ１６には、天板角度検出エンコーダ１２から信号が出力され、圧迫力検出回路１３からも信号が出力され、Ｘ線検出回路１４から信号が出力されない場合のパターン化されたアラーム信号として、図３（Ｆ）に図示のアラームパターン６が記憶されている。
さらに、ＲＯＭ１６には、天板角度検出エンコーダ１２から信号が出力され、圧迫力検出回路１３からも信号が出力され、Ｘ線検出回路１４からも信号が出力される場合のパターン化されたアラーム信号として、図３（Ｇ）に図示のアラームパターン７が記憶されている。
【００２６】
そして、各パターン化されたアラーム信号には、音量パターンとして４つの音量が用意してある。この音量パターンの数は、別に４つの音量に限られるものではなく、２つでも、３つでも、５つでもよい。ここでは、４つの音量で充分であるとの判断で例示してある。
この各パターン化されたアラーム信号に関する音量の相違は、音量パターンとして４つの音量（音量１〜音量４）の相違は、被検者が受ける負担の大小で決定されている。
【００２７】
すなわち、天板角度検出エンコーダ１２の場合は、テーブル６の天板の水平位置からの傾斜角度の大きさで４つの段階に分けられている。テーブル６の傾斜角度は、最大角度が決められており、テーブル６の天板の水平位置（０°）から最大角度までを４分割して、ＲＯＭ１６に、最小角度のパターン化されたアラーム信号の音量信号として、図３（ａ）に図示の音量パターン１が、２番目の角度のパターン化されたアラーム信号の音量信号として、図３（ｂ）に図示の音量パターン２が、３番目の角度のパターン化されたアラーム信号の音量信号として、図３（ｃ）に図示の音量パターン３が、最大角度のパターン化されたアラーム信号の音量信号として、図３（ｄ）に図示の音量パターン４が、それぞれ記憶されている。
【００２８】
また、圧迫力検出回路１３の場合は、圧迫筒３によって被検者１０の腹部を押さえ込む押圧力の大きさで４つの段階に分けられている。この圧迫筒３による被検者１０に対する押圧力は、最大押圧力が決められており、圧迫筒３による被検者１０に対する押圧力を０から最大押圧力までを４分割して、ＲＯＭ１６に、最小押圧力のパターン化されたアラーム信号の音量信号として、図３（ａ）に図示の音量パターン１が、２番目の押圧力のパターン化されたアラーム信号の音量信号として、図３（ｂ）に図示の音量パターン２が、３番目の押圧力のパターン化されたアラーム信号の音量信号として、図３（ｃ）に図示の音量パターン３が、最大押圧力のパターン化されたアラーム信号の音量信号として、図３（ｄ）に図示の音量パターン４が、それぞれ記憶されている。
【００２９】
さらに、Ｘ線検出回路１４の場合は、Ｘ線源１からＸ線が照射されていることすなわち、被検者１０に連続透視を行う場合、連続透視の時間が検査内容によって最大時間が予め決められている。そこで、連続透視を行う開始時から最大連続透視時間までを４分割して、ＲＯＭ１６に、最小連続透視時間のパターン化されたアラーム信号の音量信号として、図３（ａ）に図示の音量パターン１が、２番目の連続透視時間のパターン化されたアラーム信号の音量信号として、図３（ｂ）に図示の音量パターン２が、３番目の連続透視時間のパターン化されたアラーム信号の音量信号として、図３（ｃ）に図示の音量パターン３が、最大連続透視時間のパターン化されたアラーム信号の音量信号として、図３（ｄ）に図示の音量パターン４が、それぞれ記憶されている。
【００３０】
このＲＯＭ１６に記憶されているアラームパターン１〜７、音量パターン１〜４は、ＣＰＵ１５において、天板角度検出エンコーダ１２、圧迫力検出回路１３、Ｘ線検出回路１４のそれぞれから出力される信号に基づいて決定され、この決定されたアラームパターンと、音量パターンとがＣＰＵ１５から出力される。
【００３１】
このＣＰＵ１５には、制御回路１７が接続されており、この制御回路１７に外部にアラーム音を発するアラーム音発生器１８が接続されている。
この制御回路１７は、ＣＰＵ１５からの出力信号（アラームパターンと、音量パターン）に基づいてアラーム音のリズムと音量を決定し、アラーム音発生器１８を駆動制御するようになっている。
【００３２】
次に、Ｘ線透視撮影装置の透視撮影時の操作について説明する。
透視に際しては、被検者搭載のテーブル６を制御装置にて位置決めし、制御装置５にてＸ線可動絞り部２の絞り設定を行う。この設定後に、制御装置５にてＸ線源１からＸ線を曝射させる。このとき、制御装置５にはアラーム音を発生させるブザーが取り付けてあり、アラーム音を発生させる。Ｘ線平面検出器７は、被検者透過Ｘ線を含む透過Ｘ線を取り込み電気信号に変換し、これを制御装置５を介して画像処理装置８へ出力する。画像処理装置８は、操作器５により各種画像処理を行いモニタ９に画像を出力する。操作者は、画像表示モニタ９に表示された画像を見ながら、制御装置５を操作してテーブル７などを動作させ透視したい部位を調整する。
【００３３】
バリウムなどの造影剤を使用して透視を行う場合は、制御装置５にてテーブル６を被検者の頭が下側になるように傾け（逆傾）、圧迫筒３にて被検者の腹部を圧迫する、という操作を操作者がモニタ９を注視しながら行う。
【００３４】
次に、このように操作されるＸ線透視撮影装置の透視撮影時の動作について図４を用いて説明する。
図４には、Ｘ線透視撮影装置の透視撮影時の動作のフローチャートが示されている。
図４において、ステップ１００において、Ｘ線透視撮影装置の透視撮影の操作が開始されると、天板角度監視処理１０１と、圧迫監視処理１０２と、Ｘ線監視処理１０３がスタートする。すなわち、天板角度監視処理１０１は、他の処理とは関係なく行われ、圧迫監視処理１０２は、他の処理とは関係なく行われ、Ｘ線監視処理１０３は、他の処理とは関係なく行われる。
【００３５】
天板角度監視処理１０１は、ステップ１０４において、テーブル６の天板の水平位置から逆傾角度となっているか否かを判定する。このステップ１０４においては、テーブル６の天板の水平位置から逆傾角度になるまで繰り返し判定を行う。このステップ１０４において、テーブル６の天板の水平位置から逆傾角度になったと判定すると、図３（Ｂ）に図示のアラームパターン２が選択され、ステップ１０５において、テーブル６の天板の水平位置からの傾斜角度の大きさを求め、該テーブル６の天板の水平位置からの傾斜角度の大きさに応じた音量パターンにしたがって、音量パターンが、音量パターン１〜４の中から選択される。
【００３６】
また、圧迫監視処理１０２は、ステップ１０６において、圧迫筒３によって被検者１０の腹部を押さえ込む押圧力が加えられているか否かを判定する。このステップ１０６においては、圧迫筒３によって被検者１０の腹部を押さえ込む押圧力が加えられるまで繰り返し判定を行う。このステップ１０６において、圧迫筒３によって被検者１０の腹部を押さえ込む押圧力が加えられたと判定すると、図３（Ｃ）に図示のアラームパターン３が選択され、ステップ１０７において、圧迫筒３によって被検者１０の腹部を押さえ込む圧迫時間計測を開始する。ステップ１０７において圧迫時間計測を開始すると、ステップ１０８において、圧迫時間計測にともなって、圧迫筒３によって被検者１０の腹部を押さえ込む押圧力の大きさが該当する圧迫時間の経過に応じた音量パターンにしたがって、音量パターンが、音量パターン１〜４の中から選択される。
【００３７】
さらに、Ｘ線監視処理１０３は、ステップ１０９において、Ｘ線源１からＸ線が照射されているか否かを判定する。このステップ１０９においては、Ｘ線源１からＸ線が照射されるまで繰り返し判定を行う。このステップ１０９において、Ｘ線源１からＸ線が照射されたと判定すると、図３（Ａ）に図示のアラームパターン１が選択され、ステップ１１０において、Ｘ線源１からＸ線が照射されている透視時間計測を開始する。ステップ１１０において透視時間計測を開始すると、ステップ１１１において、透視時間計測にともなって、Ｘ線源１からＸ線が照射されている時間の長さが該当する透視時間の経過に応じた音量パターンにしたがって、音量パターンが、音量パターン１〜４の中から選択される。
【００３８】
ステップ１０４において逆傾のアラームパターンと音量パターンが決まり、ステップ１０６において圧迫のアラームパターンが、ステップ１０８において音量パターンが決まり、ステップ１０９において連続透視のアラームパターンがテップ１１１において音量パターンが決まると、ステップ１１２において、どの条件のアラームの音量が最も大きいかを決める。
そして、ステップ１１３において、条件がいくつ重なっているかによりアラームのパターンを決める。
ステップ１１２とステップ１１３において決められたアラームの音量と、ラームのパターンに基づいて、ステップ１１４においてアラームを出力する。
【００３９】
ステップ１１４においてアラームを出力すると、ステップ１１５において、操作が終了したか否かを判定し、このステップ１１５において操作が終了していないと判定すると、始めに戻り処理を繰り返す。
また、このステップ１１５において操作が終了であると判定すると、ステップ１１６において、検査を終了する。
【００４０】
なお、これらの動作に加えて通常動作（例えば、テーブル６の移動）を行う場合にも、適用される。例えば、圧迫筒３によって被検者１０の腹部を押さえ込む押圧力が加えられているときに、テーブル６を移動すると、圧迫部位から別な部位へ圧迫箇所が移動するので、被検者１０により多大な負担を掛けることにもなる。この場合は、アラーム音を発する必要がある。
【００４１】
この場合は、パターン化されたアラーム信号（アラームパターンとアラーム音量）を記憶するＲＯＭ１６に、被検者１０を載置するテーブル６の天板の移動を検知すると発する逆傾、圧迫、透視のそれぞれの操作におけるアラームパターンと音量パターンとは異なる移動アラーム音を予め記憶しておく。このテーブル６の天板の移動の検知は、テーブル６に、前後左右の水平移動、水平回転移動を検出するセンサを設けるか、あるいは前後左右の水平移動、水平回転移動を操作するスイッチの投入を検出することによって行うことができる。
【００４２】
Ｘ線透視撮影装置本体に設けられている圧迫筒３に設けられる圧迫力検出回路１３によって被検者１０の身体の一部が押圧されていることを検出された状態で、テーブル６の移動が検知されると、ＣＰＵ１５において、ＲＯＭ１６から、パターン化されたアラーム信号（アラームパターンとアラーム音量）を読み出して制御回路１７に出力する。この制御回路１７においては、出力されてきたパターン化されたアラーム信号（アラームパターンとアラーム音量）にしたがって、アラーム１８を作動してアラーム音を発する。
【００４３】
次に、実施の形態について説明する。これらの実施の形態は、図３に図示の（Ａ）〜（Ｇ）に相当するものである。
《実施形態１》
連続透視のみの操作の場合、アラームパターン１にてアラームを鳴らし、時間経過と共に音量を大きくする。
【００４４】
《実施形態２》
逆傾のみの操作の場合、アラームパターン２にてアラームを鳴らし、角度に応じて音量を大きくする。
【００４５】
《実施形態３》
圧迫のみの操作の場合、アラームパターン３にてアラームを鳴らし、時間経過と共に音量を大きくする。
【００４６】
《実施形態４》
連続透視および逆傾を同時に操作する場合、アラームパターン１と２を組み合わせたアラームパターン４にてアラームを鳴らし、音量は各条件の最も負担の大きい条件の音量とする。
【００４７】
《実施形態５》
連続透視および圧迫を同時に操作する場合、アラームパターン１と３を組み合わせたアラームパターン５にてアラームを鳴らし、音量は各条件の最も負担の大きい条件の音量とする。
【００４８】
《実施形態６》
逆傾および圧迫を同時に操作する場合、アラームパターン２と３を組み合わせたアラームパターン６にてアラームを鳴らし、音量は各条件の最も負担の大きい条件の音量とする。
【００４９】
《実施形態７》
連続透視、逆傾および圧迫を同時に操作する場合、アラームパターン１，２と３を組み合わせたアラームパターン７にてアラームを鳴らし、音量は各条件の最も負担の大きい条件の音量とする。
【００５０】
本実施の形態においては、
操作者にＸ線透視撮影装置の操作状況を知らせるのにアラーム音によって行うことで説明してきたが、アラーム音に代えてＬＥＤによる点滅によって行うこともできる。この場合は、逆傾については赤色ＬＥＤ、圧迫については黄色ＬＥＤ、透視については緑色ＬＥＤと代えることで対応が可能である。この場合は、逆傾、圧迫、透視のそれぞれに対応してＬＥＤを設けておくことで容易に実現することができる。
【図面の簡単な説明】
【００５１】
【図１】本発明に係るＸ線透視撮影装置のブロック図である。
【図２】図１に図示のＸ線透視撮影装置におけるアラームパターンおよび音量パターンの生成回路を示す図である。
【図３】アラームパターンおよび音量パターンを決定するためのフローチャートである。
【図４】アラームパターンおよび音量パターンの例を示す図である。
【符号の説明】
【００５２】
１………………………Ｘ線源
２………………………Ｘ線可動絞り部
３………………………圧迫筒
４………………………Ｘ線発生装置
５………………………制御装置
６……………………テーブル
７……………Ｘ線平面検出器
８……………………画像処理装置
９…………………画像表示モニタ
１０…………………被検者
１１…………………台座
１２…………………天板角度検出エンコーダ
１３…………………圧迫力検出回路
１４…………………Ｘ線検出回路
１５…………………ＣＰＵ
１６…………………ＲＯＭ
１７…………………制御回路
１８…………………アラーム音発生器
【図１】
2009291231.tif 000003
【図２】
2009291231.tif 000004
【図３】
2009291231.tif 000005
【図４】
2009291231.tif 000006